(57)【要約】【課題】１つのつまみで、電源コードの巻き取り、ファンモータの電源の入切、及び入力調整を行うことが出来、原価面および使用性に優れた電気掃除機を提供すること。【解決手段】ファンモータ２と、ファンモータ２の電気制御を行うための回路３と、自身を回転させることにより、回路３の制御を行うつまみ４を備えた電気掃除機の本体１において、つまみ４を、電源を切った状態から、電源を入れる方向と逆方向に回転させることにより電源コード７を巻き取る構成にすることにより、通常の構成で必要とされるブレーキボタン等の別部品は必要なく、単一部品にて構成できるため、部品コストを削減することができ、原価改善を実現できる電気掃除機を提供することができる。【選択図】図２
2009225816.tif 000002
【特許請求の範囲】
【請求項１】
吸引風を発生するためのファンモータと、前記ファンモータの電気制御を行うための回路と、電源を供給するための電源コードと、前記電源コードを巻き取る電源コード巻き取り装置と、前記電源コード巻き取り装置の巻き取りを停止するためのブレーキと、自身を回転させることにより、前記回路の制御を行うつまみを備えた本体において、前記つまみを電源を切った状態から電源を入れる方向と逆方向に回転させることにより前記ブレーキを解除して前記電源コードを巻き取ることを特徴とする電気掃除機。
【請求項２】
吸引風を発生するためのファンモータと、前記ファンモータの電気制御を行うための回路と、電源を供給するための電源コードと、前記電源コードを巻き取る電源コード巻き取り装置と、前記電源コード巻き取り装置の巻き取りを停止するためのブレーキと、自身を回転させることにより、前記回路の制御を行い、かつ、水平方向に動作可能である構成のつまみを備えた本体において、前記つまみを水平方向に移動させることにより前記ブレーキを解除して前記電源コードを巻き取ることを特徴とする電気掃除機。
【請求項３】
つまみの回転位置が電源を切った状態にある時のみ、前記つまみを水平方向に移動可能に構成したことを特徴とする請求項２記載の電気掃除機。
【発明の詳細な説明】
【技術分野】
【０００１】
本発明は一般家庭で使用される電気掃除機に関するもので、特に電源コードの巻き取り操作に関するものである。
【背景技術】
【０００２】
従来の電気掃除機を、図８を用いて説明する。
【０００３】
図８に示す電気掃除機は、本体１０１に塵埃を集塵するための集塵室１０７、吸引風を発生するためのファンモータ１０６、ファンモータ１０６の動作の電源制御を行うスイッチ１０２、自身を回転させることによりファンモータ１０６の入力調節を行うためのつまみ１０３、電源コード１０８を巻き取るための電源コード巻き取り装置１０５、電源コード巻き取り装置１０５の制動を解除するためのブレーキボタン１０４を備えている（例えば、特許文献１参照）。
【特許文献１】特開２００７−２０７６６号公報
【発明の開示】
【発明が解決しようとする課題】
【０００４】
しかしながら、上記従来の電気掃除機の構成では、スイッチ１０２、つまみ１０３、ブレーキボタン１０４という具合に、操作する部品が３種類あるため、部品コストが高価になるという問題点があった。
【０００５】
また、スイッチ１０２とブレーキボタン１０４が別々に位置しているため、掃除機の使用を終了する際は、スイッチ１０２を切った後で、別の場所に位置しているブレーキボタン１０４を押して電源コードを巻き取るという具合に操作に手間がかかるという課題があった。
【０００６】
本発明は上記課題を解決するもので、原価面および使用性に優れた電気掃除機を提供することを目的としている。
【課題を解決するための手段】
【０００７】
上記課題を解決するために本発明の電気掃除機は、吸引風を発生するためのファンモータと、前記ファンモータの電気制御を行うための回路と、電源を供給するための電源コードと、前記電源コードを巻き取る電源コード巻き取り装置と、前記電源コード巻き取り装置の巻き取りを停止するためのブレーキと、自身を回転させることにより、前記回路の制御を行うつまみを備えた本体において、前記つまみを電源を切った状態から電源を入れる方向と逆方向に回転させることにより前記ブレーキを解除して前記電源コードを巻き取ることを特徴とするもので、従来の構成で必要とされるスイッチ、つまみ、ブレーキボタン等を１つの部品にて構成できるため、部品コストを削減することができ、原価改善を実現できる電気掃除機を提供することができる。
【０００８】
また、使用後はつまみを逆方向に回転させるだけで、電源コードの巻取りを行うことができるため、操作の手間が掛からず、使用性に優れた電気掃除機を提供することができる。
【発明の効果】
【０００９】
本発明は、１つのつまみで、電源コードの巻き取り、ファンモータの電源の入切、及び入力調整を行うことが出来、原価面および使用性に優れた電気掃除機を提供することができる。
【発明を実施するための最良の形態】
【００１０】
第１の発明は、吸引風を発生するためのファンモータと、前記ファンモータの電気制御を行うための回路と、電源を供給するための電源コードと、前記電源コードを巻き取る電源コード巻き取り装置と、前記電源コード巻き取り装置の巻き取りを停止するためのブレーキと、自身を回転させることにより、前記回路の制御を行うつまみを備えた本体において、前記つまみを電源を切った状態から電源を入れる方向と逆方向に回転させることにより前記ブレーキを解除して前記電源コードを巻き取ることを特徴とするもので、従来の構成で必要とされるスイッチ、つまみ、ブレーキボタン等を１つの部品にて構成できるため、部品コストを削減することができ、原価改善を実現できる電気掃除機を提供することができる。
【００１１】
また、使用後はつまみを逆方向に回転させるだけで、電源コードの巻取りを行うことができるため、操作の手間が掛からず、使用性に優れた電気掃除機を提供することができる。
【００１２】
第２の発明は、吸引風を発生するためのファンモータと、前記ファンモータの電気制御を行うための回路と、電源を供給するための電源コードと、前記電源コードを巻き取る電源コード巻き取り装置と、前記電源コード巻き取り装置の巻き取りを停止するためのブレーキと、自身を回転させることにより、前記回路の制御を行い、かつ、水平方向に動作可能である構成のつまみを備えた本体において、前記つまみを水平方向に移動させることにより前記ブレーキを解除して前記電源コードを巻き取ることを特徴とするもので、従来の構成で必要とされるスイッチ、つまみ、ブレーキボタン等を１つの部品にて構成できるため、部品コストを削減することができ、原価改善を実現できる電気掃除機を提供することができる。
【００１３】
また、使用後はつまみを水平方向に移動させるだけで、電源コードの巻取りを行うことができるため、操作の手間が掛からず、使用性に優れた電気掃除機を提供することができる。
【００１４】
第３の発明は、つまみの回転位置が電源を切った状態にある時のみ、前記つまみを水平方向に移動可能に構成したことにより、使用中に誤って電源コードを巻き取ってしまい、電源プラグが外れるといった問題点を防止できる、使用性に優れた電気掃除機を提供することができる。
【００１５】
以下、本発明の実施の形態について、図面を参照しながら説明する。なお、この実施の形態によって本発明が限定されるものではない。
【００１６】
（実施の形態１）
本発明の第１の実施の形態について図１〜図４を用いて説明する。
【００１７】
図１〜図４において、電気掃除機の本体１は、塵埃を集塵する集塵室１０、吸引風を発生するファンモータ２、ファンモータ２の電気制御を行うための回路３、電源を供給するための電源コード７、電源コード７を巻き取るための電源コード巻き取り装置８、自身を回転させることにより、回路３の制御を行うつまみ４を備えている。
【００１８】
電源コード巻き取り装置８は、内蔵したバネ（図示せず）により、常に巻き取り方向に付勢されており、この付勢に対して電源コード７を引き出した状態を保持するためのブレーキ９と、巻き取るためにこのブレーキ９を解除するためのブレーキレバー５を備えている。
【００１９】
ブレーキ９は、ブレーキローラ９ａを有しており、このブレーキローラ９ａが電源コード巻き取り装置８の外周部８ａと電源コード巻き取り装置８のケース内壁８ｂとの間に挟まれることにより巻き取りの制動がかかり、電源コード７を引き出した状態を保持している。
【００２０】
つまみ４は、電源コードを巻き取る際にブレーキレバー５を操作するレバー６を備えている。
【００２１】
以上のように構成された電気掃除機について、図３、４を用いてその動作、作用を説明する。
【００２２】
つまみ４をＯＦＦの位置（図３（ａ））即ち、電源を切った状態から、図３（ｂ）、更に図３（ｃ）の位置に回転することでファンモータ２の電源をＯＮすると共に、その入力をＭＩＮ〜ＭＡＸに可変することが出来る。
【００２３】
また、つまみ４をＯＦＦの位置（図３（ａ））から図４（ａ）に示す様に電源を入れる方向とは逆の方向に回転させると、図４（ｂ）に示すように、つまみ４上に設けたレバー６が、電源コードを巻き取るためのブレーキレバー５に押し付けられ、ブレーキローラ９ａが外周部８ａとケース内壁８ｂから開放されてブレーキが解除され、電源コードの巻取りを行うことができる。
【００２４】
従って、従来の構成で必要とされるスイッチ、つまみ、ブレーキボタン等を１つの部品にて構成できるため、部品コストを削減することができ、原価改善を実現できる電気掃除機を提供することができる。
【００２５】
また、つまみ４を電源を入れる時と逆方向に回転させるだけで、電源コード７の巻取りを行うことができるため、操作の手間が掛からず、使用性に優れた電気掃除機を提供することができる。
【００２６】
（実施の形態２）
本発明の第２の実施の形態について、図５〜図７を用いて説明する。図５において、つまみ４’は回転によりファンモータの電源の入切および入力の調整が行えるようになっている点は、実施の形態１と同様であるが、つまみ４’がレバー６’を備えると共に、前後方向に移動可能に構成されており、この前後方向の移動によりレバー６’によりブレーキレバー５の操作を行うようにした点が異なる。また、つまみ４’はバネ１１により後方向に常に付勢されている。
【００２７】
この構成において、つまみ４’を図５に示す状態から前方向に移動させると、図６に示すように、レバー６’がブレーキレバー５に押しつけられることにより、実施の形態１と同様にブレーキが解除され、電源コードを巻き取ることができる。
【００２８】
従って、実施の形態１と同様の効果を得ることが出来る。
【００２９】
また、図７に示すように、電源が入った状態で、つまみ４’を前に移動する場合には、レバー６’がブレーキレバー５に接触しない構成としているため、コード巻き取りは不可能となっている。従って、使用中に誤って電源コードを巻き取ってしまい、電源プラグが外れるといった問題点を防止でき、使用性に優れた電気掃除機を提供することができる。
【００３０】
なお、本実施の形態ではつまみ４’の移動方向を前後方向で説明したが、左右方向でも良く、その方向は限定されず水平方向であれば良いことは言うまでもない。
【産業上の利用可能性】
【００３１】
以上のように、本発明にかかる電気掃除機は原価面および使用性に優れた極めて有用なものである。
【図面の簡単な説明】
【００３２】
【図１】本発明の実施の形態１を示す電気掃除機の本体の平面図
【図２】同電気掃除機の側面要部断面図
【図３】（ａ）同電気掃除機のつまみ位置がＯＦＦの時の平面要部断面図（ｂ）同電気掃除機のつまみ位置がＭＩＮの時の平面要部断面図（ｃ）同電気掃除機のつまみ位置がＭＡＸの時の平面要部断面図
【図４】（ａ）同電気掃除機のつまみの位置がコード巻き取りの時の平面要部断面図（ｂ）同電気掃除機のつまみの位置がコード巻き取りの時の側面要部断面図
【図５】（ａ）本発明の実施の形態２を示す電気掃除機の側面要部断面図（ｂ）同電気掃除機の平面要部断面図
【図６】（ａ）同電気掃除機のつまみの位置がコード巻き取りの時の側面要部断面図（ｂ）同電気掃除機のつまみの位置がコード巻き取りの時の平面要部断面図
【図７】同電気掃除機のつまみの位置がＭＩＮの時のつまみ操作を示す平面要部断面図
【図８】従来の電気掃除機の平面図
【符号の説明】
【００３３】
１  本体
２  ファンモータ
３  回路
４  つまみ
７  電源コード
８  電源コード巻き取り装置
９  ブレーキ
【図１】
2009225816.tif 000003
【図２】
2009225816.tif 000004
【図３】
2009225816.tif 000005
【図４】
2009225816.tif 000006
【図５】
2009225816.tif 000007
【図６】
2009225816.tif 000008
【図７】
2009225816.tif 000009
【図８】
2009225816.tif 000010